(57)【要約】 【課題】  二面性の意匠イメージを持たせることができる電子機器のパネル構造を提供する。【解決手段】  昼間などにおいて、パネル本体２の造形処理部３を、光透過性材料から成るパネル１を介して視認でき、夜間などにおいてパネル１のｘ方向一端部から他端部側、およびｘ方向他端部から一端部側へ光が導かれると、造形処理部３をパネル１の照明光で遮蔽する。このように昼間の見栄えに対し夜間の見栄えを変化させることによって、パネル１に二面性の意匠イメージを持たせる。【選択図】      図１
2007047226.tif 000002
【特許請求の範囲】
【請求項１】
電子機器のパネル構造において、
光透過性材料から成るパネルであって当該パネルの側部から光源からの光が導かれるパネルと、
前記パネルを介して視認可能な造形処理または印刷処理が施されるパネル本体とを有することを特徴とする電子機器のパネル構造。
【請求項２】
電子機器のパネル構造において、
造形処理または印刷処理が施されるパネル本体と、
前記パネル本体に支持されるパネルであって、光透過性材料から成り、光源からの光が導かれるときパネルの照明光により造形処理部または印刷処理部を視認不能とし、光源からの光が導かれないとき前記パネルを介して前記造形処理部または印刷処理部の視認性を確保するパネルとを有することを特徴とする電子機器のパネル構造。
【請求項３】
前記パネル本体は、
前記造形処理部を備えた内パネル部と、
該内パネル部およびパネルを支持する外パネル部とを備えることを特徴とする請求項１または２記載の電子機器のパネル構造。
【請求項４】
電子機器のパネル構造に適用されるパネルにおいて、
光透過性材料から成り、電子機器の内方に臨む当該パネルの裏面部に造形処理または印刷処理が施され、電子機器の光源から光が導かれるときパネルの照明光により造形処理部または印刷処理部を視認不能とし、光源からの光が導かれないとき前記パネルを介して前記造形処理部または印刷処理部の視認性を確保することを特徴とするパネル。
【請求項５】
請求項４に記載のパネルと、当該パネルを支持するパネル本体とを有することを特徴とする電子機器のパネル構造。
【請求項６】
前記パネル本体は、
前記印刷処理が施される印刷シート体と、
該印刷シート体およびパネルを支持する外パネルとを備えることを特徴とする請求項１または２記載の電子機器のパネル構造。
【請求項７】
前記印刷処理部は、メジウム印刷が施されていることを特徴とする請求項１または２記載の電子機器のパネル構造。
【請求項８】
前記印刷シート体は、メジウム印刷が施されて成ることを特徴とする請求項６記載の電子機器のパネル構造。
【請求項９】
前記造形処理部は、凹凸に形成される部位を含むことを特徴とする請求項１〜３のいずれか１つに記載の電子機器のパネル構造。
【発明の詳細な説明】
【技術分野】
【０００１】
本発明は、電子機器のパネル構造およびパネルに関し、たとえば車載用ラジオの意匠部位などに適用される技術に関する。
【０００２】
本発明において「造形処理部」とは、造形処理が施される部位と同義であり、「印刷処理部」とは、印刷処理が施される部位と同義である。
【背景技術】
【０００３】
従来、たとえば車載用ラジオの意匠部位において、光源から発せられる光を主に操作ボタンの文字部にて透過させて文字を識別する技術が実用に供されている（たとえば特許文献１参照）。
【０００４】
【特許文献１】特開２０００−１０６０４９号公報
【発明の開示】
【発明が解決しようとする課題】
【０００５】
従来のものでは、昼夜で意匠イメージが略同一であり面白みに欠ける。前記「略同一」は同一を含む。仮に操作ボタン以外の部分を、照明光により視認させるようにしても昼夜で意匠イメージが略同一であることに変わりはない。
【０００６】
本発明の目的は、二面性の意匠イメージを持たせることができる電子機器のパネル構造を提供することである。
【課題を解決するための手段】
【０００７】
本発明は、電子機器のパネル構造において、
光透過性材料から成るパネルであって当該パネルの側部から光源からの光が導かれるパネルと、
前記パネルを介して視認可能な造形処理または印刷処理が施されるパネル本体とを有することを特徴とする電子機器のパネル構造である。
【０００８】
また本発明は、電子機器のパネル構造において、
造形処理または印刷処理が施されるパネル本体と、
前記パネル本体に支持されるパネルであって、光透過性材料から成り、光源からの光が導かれるときパネルの照明光により造形処理部または印刷処理部を視認不能とし、光源からの光が導かれないとき前記パネルを介して前記造形処理部または印刷処理部の視認性を確保するパネルとを有することを特徴とする電子機器のパネル構造である。
【０００９】
また本発明は、前記パネル本体は、
前記造形処理部を備えた内パネル部と、
該内パネル部およびパネルを支持する外パネル部とを備えることを特徴とする。
【００１０】
また本発明は、電子機器のパネル構造に適用されるパネルにおいて、
光透過性材料から成り、電子機器の内方に臨む当該パネルの裏面部に造形処理または印刷処理が施され、電子機器の光源から光が導かれるときパネルの照明光により造形処理部または印刷処理部を視認不能とし、光源からの光が導かれないとき前記パネルを介して前記造形処理部または印刷処理部の視認性を確保することを特徴とするパネルである。
【００１１】
また本発明は、前記パネルと、当該パネルを支持するパネル本体とを有することを特徴とする電子機器のパネル構造である。
【００１２】
また本発明は、前記パネル本体は、
前記印刷処理が施される印刷シート体と、
該印刷シート体およびパネルを支持する外パネルとを備えることを特徴とする。
【００１３】
また本発明は、前記印刷処理部は、メジウム印刷が施されていることを特徴とする。
また本発明は、前記印刷シート体は、メジウム印刷が施されて成ることを特徴とする。
また本発明は、前記造形処理部は、凹凸に形成される部位を含むことを特徴とする。
【発明の効果】
【００１４】
本発明によれば、昼間などにおいて、パネル本体に施される造形処理または印刷処理を、光透過性材料から成るパネルを介して視認できる。夜間などにおいてパネルの側部から光が導かれると、造形処理部または印刷処理部がパネルの照明光で遮蔽される。このように昼間の見栄えに対し夜間の見栄えを変化させることによって、パネルに二面性の意匠イメージを持たせることが可能となる。
【００１５】
また本発明によれば、夜間などにおいて光源からの光が導かれるとき、パネルを照明する照明光により、造形処理部または印刷処理部を視認不能とする。昼間などにおいて光源からの光が導かれないとき、当該パネルを介して造形処理部または印刷処理部の視認性を確保する。このように昼夜の見栄えを変化させて、パネルに二面性の意匠イメージを持たせることが可能となる。
【００１６】
また本発明によれば、パネル本体のうち内パネル部に、造形処理部が設けられているので、この造形処理部を別部品で構成するものに比べて製作コストの低減を図ることができる。
【００１７】
また本発明によれば、裏面部に造形処理または印刷処理が施されるパネルによって、二面性の意匠イメージを実現できる。
【００１８】
また本発明によれば、前記裏面部に造形処理または印刷処理が施されるパネルと、当該パネルを支持するパネル本体とを有する電子機器のパネル構造を実現できる。
【００１９】
また本発明によれば、昼間などにおいて、印刷シート体に施される印刷処理部を、光透過性材料から成るパネルを介して視認できる。既存のパネル構造に印刷シート体を設けることで、パネルに二面性の意匠イメージを持たせることが可能となるので、汎用性を高めることができる。
【００２０】
また本発明によれば、パネル裏面のメジウム印刷によって印刷処理部を実現できる。
また本発明によれば、メジウム印刷によって印刷シート体を実現できる。
また本発明によれば、凹凸に形成される部位によって造形処理部を実現できる。
【発明を実施するための最良の形態】
【００２１】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。本実施形態では、電子機器として車載用ラジオの意匠部位に適用される。ただし電子機器は、車載用ラジオだけに必ずしも限定されるものではなく、たとえば各種デッキ、ナビゲーションシステムなどの車載機器、車載用以外の電子機器に適用可能である。
【００２２】
図１は、本発明の第１の実施形態に係るパネル構造を表し、図１（ａ）は、昼間時のパネル構造の正面図、図１（ｂ）は、夜間時のパネル構造の正面図、図１（ｃ）は、パネル１とパネル本体２との関係を示すパネル構造の断面図である。第１の実施形態に係るパネル構造（第１パネル構造と称す）は、パネル本体２とパネル１とを有する。パネル本体２は、たとえば合成樹脂材料によって略矩形枠形状に形成されている。パネル本体２の矩形枠部分に、光透過性材料から成るパネル１が支持され固着されている。前記光透過性材料としては、たとえばアクリロニトリル・ブタジェン・スチレン共重合体（Acryliro
nitrile Butadiene Styrene：略称ＡＢＳ）、ポリカーボネイト（Poly Carbonate：略称ＰＣ)、アクリル、またはガラスが用いられる。ここでパネル本体２の長手方向をｘ方向、パネル１の厚み方向をｚ方向、ｘおよびｚ方向に直交する方向をｙ方向と定義する。図１において、ｘ，ｙ，ｚ方向をそれぞれｘ，ｙ，ｚと表記する。
【００２３】
パネル本体２における矩形枠部分を成す凹部２ａには、パネル１を介して視認可能な凹凸の造形処理が施されている。この造形処理が施された造形処理部３はパネル本体２に設けられ、本実施形態では一体成形されている。このパネル本体２のｘ方向一端部および他端部には、図示外の導光板および光源である複数の発光ダイオード（Light Emitting Diode：略称ＬＥＤ）がそれぞれ設けられている。パネル本体２のｘ方向一端部に設けられる複数のＬＥＤは、ｙ方向に沿って一定間隔おきに配設され、各ＬＥＤからｚ方向一方に発せられる光が導光板を介してパネル１のｘ方向一端部に入射するように構成されている。パネル１のｘ方向一端部から入射された光はｘ方向の他端部側へ導かれるようになっている（図８参照）。
【００２４】
パネル本体２のｘ方向他端部に設けられる複数のＬＥＤは、ｙ方向に沿って一定間隔おきに配設され、各ＬＥＤから発せられる光が導光板を介してパネル１のｘ方向他端部に入射するように構成されている。パネル１のｘ方向他端部から入射された光は一端部側へ導かれるようになっている。図１（ｂ）に示すように、各ＬＥＤを点灯しその光がパネル１のｘｙ平面に沿って導かれるとき、前記造形処理部３はこのパネル１の照明光で遮蔽されて視認不可能である。図１（ａ）に示すように、各ＬＥＤを消灯しその光がパネル１に導かれないとき、パネル１を介して前記造形処理部３の視認性は確保される。
【００２５】
以上説明した第１パネル構造によれば、昼間などにおいて、パネル本体２の造形処理部３を、光透過性材料から成るパネル１を介して視認できる。夜間などにおいてパネル１のｘ方向一端部から他端部側、およびｘ方向他端部から一端部側へ光が導かれると、造形処理部３をパネル１の照明光で遮蔽する。このように昼間の見栄えに対し夜間の見栄えを変化させることによって、パネル１に二面性の意匠イメージを持たせることが可能となる。パネル本体２に造形処理部３が一体成形されているので、第１パネル構造の部品点数を低減し、その分製作コストの低減を図ることができるうえ、組立工数の低減を図ることができる。
【００２６】
図２は、本発明の第２の実施形態に係り、内パネル部４に一体成形される造形処理部５を含むパネル構造の断面図である。この第２パネル構造はパネル本体６とパネル１とを有し、パネル本体６は外パネル部７と内パネル部４とを備えている。これらのうち外パネル部７は、前記内パネル部４およびパネル１を支持するケーシングであり、たとえば合成樹脂材料によって略矩形枠形状に形成されている。内パネル部４は、たとえば合成樹脂材料によって形成されている。外パネル部７の内部に内パネル部４が配設され、造形処理部５は、この内パネル部４に一体成形されるうえ、パネル１の裏面部に所定小距離間隔をあけて配設される。
【００２７】
以上説明した第２パネル構造によれば、特にパネル本体６のうち内パネル部４に、造形処理部５が一体成形されるので、この造形処理部５を別部品で構成するものに比べて製作コストの低減を図ることができる。内パネル部４に造形処理を施しているので、前記内パネル部４を、たとえば車種、車種毎のグレード、対象とするユーザーの年齢層、性別など必要に応じてデザインの異なる造形処理部５を含む内パネル部４に容易に交換することができる。このように内パネル部４を交換するだけで、換言すれば共通の外パネル部７およびパネル１を兼用して、種々な造形処理を視認して楽しむことが可能となる。また第２パネル構造によれば、外パネル部７およびパネル１の汎用性を高めることができる。その他第１パネル構造と同様の効果を奏する。
【００２８】
図３は、本発明の第３の実施形態に係り、パネルの裏面部に印刷処理が施されるパネル構造の断面図である。この第３パネル構造は、パネル本体８とパネル９とを有する。電子機器の内方に臨むパネル９の裏面部には、印刷処理が施されている。この印刷処理部９ａは、電子機器の外方に臨むパネル９の表面部側から視認可能である。各ＬＥＤを点灯しその光がパネル９のｘｙ平面に沿って導かれるとき、前記印刷処理部９ａはこのパネル９の照明光で遮蔽されて視認不可能である。各ＬＥＤを消灯しその光がパネル９に導かれないとき、前記印刷処理部９ａの視認性は確保される。
【００２９】
以上説明した第３パネル構造によれば、特にパネルの裏面部に印刷処理が施されるので、次のような効果を奏する。前記パネル９を、必要に応じてデザインの異なる印刷処理部９ａを含むパネル９に容易に交換することができる。このようにパネル９を交換するだけで、換言すれば共通のパネル本体８を兼用して、種々なデザインの印刷処理部９ａを視認して楽しむことが可能となる。第３パネル構造によれば、パネル本体８の汎用性を高めることができる。
【００３０】
パネルの裏面部に、両面テープなどの固定具を用いて印刷処理部９ａを固定できるので、パネルに印刷処理を簡単にかつ迅速に施すことが可能となる。この場合には、パネル自体に印刷処理を施さないので、デザインの自由度が広がるうえ、パネル自体に印刷処理を施すものに比べて製作コストの低減を図ることができる。その他第１パネル構造と同様の効果を奏する。種々なデザインの印刷処理が施されたパネルだけを、独立した取引形態とすることが可能となるうえ、種々なデザインの印刷処理が施された印刷処理部９ａ自体を、独立した取引形態とすることも可能となる。
【００３１】
図４は、本発明の第４の実施形態に係り、パネル１０の裏面部にＵＶストライプ印刷処理が施されるパネル構造の断面図である。この第４パネル構造では、パネル１０の裏面部にＵＶ（UltraViolet）ストライプ印刷処理が施され、さらに内パネル相当色の印刷処理が施されている。パネル１０の裏面部に、両面テープなどの固定具を用いて、ＵＶストライプ印刷処理部１１および内パネル相当色の印刷処理部１２の少なくともいずれか一方を固定できるので、パネル１０に印刷処理を簡単にかつ迅速に施すことが可能となる。内パネル相当色の印刷処理部１２によって、高級感を安価に演出することができる。その他第３パネル構造と同様の効果を奏する。
【００３２】
図５は、本発明の第５の実施形態に係るパネル構造を表し、図５（ａ）は、外パネルおよびストライプ柄の印刷シート体１３を含むパネル本体１４と、パネル１との関係を表す断面図、図５（ｂ）は、ポリカーボネイト製から成る印刷シート体１３Ａに、ストライプ柄の印刷が施されるものを概略表す断面図である。この第５パネル構造は、パネル本体１４と、パネル１と、ストライプ柄の印刷シート体１３とを有する。印刷シート体１３はたとえばポリカーボネイト製から成る。パネル本体１４の内部に印刷シート体１３が配設され、この印刷シート体１３の一表面に施される印刷処理部１３ａは、パネル１の裏面部に所定小距離間隔δをあけて配設される。
【００３３】
以上説明した第５パネル構造によれば、パネル１に印刷処理を施さず別個独立の印刷シート体１３でもって、パネル１に二面性の意匠イメージを持たせることが可能となる。したがってパネルに印刷処理を施すものに比べてデザインの自由度を高めることができる。前記印刷シート体１３を、たとえば車種、車種毎のグレード、対象とするユーザーの年齢層、性別など必要に応じてデザインの異なる印刷シート体に容易に交換することができる。その他第１〜第４パネル構造と同様の効果を奏する。ポリカーボネイト製から成るシート体１３Ａの一表面部に、メジウム印刷を施してもよい。前記メジウム印刷シートの代替手段として、シボ印刷シート体を適用することも可能である。
【００３４】
図６は、本発明の第６の実施形態に係るパネル構造を表し、図６（ａ）は、型シボ形成されたパネル１５に光源からの光が導かれる状態を表す正面図、図６（ｂ）はその断面図である。第６パネル構造では、パネル１５の裏面部に、凹凸に形成される部位１５ａを含む造形処理（型シボ加工と称す）が施されている。このような型シボ加工によって、安価に二面性の意匠イメージを持たせることが可能となる。その他第３パネル構造と同様の効果を奏する。
【００３５】
図７は、本発明の第７の実施形態に係るパネル構造を表し、図７（ａ）はパネルの明暗分布を概略表す正面図、メジウム印刷のドット、ピッチを調整する態様を表す正面図である。単に、パネルの一端部側から他端部側へ光源からの光を導く構造（従来構造）のものでは、図７（ａ）に示すように、光源に近いパネルのｘ方向一端部および他端部が明るい。つまりｚ方向から見たパネルの濃度値がｘ方向中間付近部の濃度値よりも相対的に高い。従来のパネル構造では、このようにｘ方向に沿って濃度値のムラが大きいが、図７（ｂ）に示すように、メジウム印刷１６のドット、ピッチを調整することで、パネル１Ａの濃度値の均一化を（特にｘ方向について）図っている。したがって一定品質のパネルを簡単にかつ確実に提供することができる。
【００３６】
図８は、本発明の第８の実施形態に係るパネル構造を表し、図８（ａ）は、その分解斜視図、図８（ｂ）は、光源１７と導光板１８とフィルタ１９とパネル２０との関係を表す断面図、図８（ｃ）は要部の断面図である。この第８パネル構造は、パネル本体２１と、パネル２０と、導光板１８と、フィルタ１９とを有する。たとえば次の（１）〜（４）態様によって、昼間など光源消灯時のパネル２０の見栄えを変化させている。（１）パネル２０の材料に予め着色されたものを採用する。（２）パネル２０に印刷処理を施す。（３）パネル２０、導光板１８間に、フィルタ１９以外のシート体を介在させる。（４）導光板１８に色を付したものを採用する。
【００３７】
また次の（５）〜（１０）態様によって、夜間など光源点灯時のパネル２０の見栄えを変化させている。（５）フィルタ１９に着色する。（６）導光板１８に印刷処理を施す。（７）導光板１８に着色を施す。（８）光源であるＬＥＤ１７に、着色したキャップを付ける。（９）パネル２０のｘ方向一端部および他端部に印刷処理を施す。（１０）紫外線を発する光源を採用する。前記（１）〜（４）態様と、（５）〜（１０）態様とを選択的に用いる組合せによって、自由な色調を短時間で安価に実現できる。パネル２０の濃度値の均一化も容易に実現できる。その他、本発明の趣旨を逸脱しない範囲において種々の変更を付加した形態で実施することも可能である。
【図面の簡単な説明】
【００３８】
【図１】本発明の第１の実施形態に係るパネル構造を表し、図１（ａ）は、昼間時のパネル構造の正面図、図１（ｂ）は、夜間時のパネル構造の正面図、図１（ｃ）は、パネル１とパネル本体２との関係を示すパネル構造の断面図である。
【図２】本発明の第２の実施形態に係り、内パネル部４に一体成形される造形処理部５を含むパネル構造の断面図である。
【図３】本発明の第３の実施形態に係り、パネルの裏面部に印刷処理が施されるパネル構造の断面図である。
【図４】本発明の第４の実施形態に係り、パネル１０の裏面部にＵＶストライプ印刷処理が施されるパネル構造の断面図である。
【図５】本発明の第５の実施形態に係るパネル構造を表し、図５（ａ）は、外パネルおよびストライプ柄の印刷シート体１３を含むパネル本体１４と、パネル１との関係を表す断面図、図５（ｂ）は、ポリカーボネイト製から成る印刷シート体１３Ａに、ストライプ柄の印刷が施されるものを概略表す断面図である。
【図６】本発明の第６の実施形態に係るパネル構造を表し、図６（ａ）は、型シボ形成されたパネル１５に光源からの光が導かれる状態を表す正面図、図６（ｂ）はその断面図である。
【図７】本発明の第７の実施形態に係るパネル構造を表し、図７（ａ）はパネルの明暗分布を概略表す正面図、メジウム印刷のドット、ピッチを調整する態様を表す正面図である。
【図８】本発明の第８の実施形態に係るパネル構造を表し、図８（ａ）は、その分解斜視図、図８（ｂ）は、光源１７と導光板１８とフィルタ１９とパネル２０との関係を表す断面図、図８（ｃ）は要部の断面図である。
【符号の説明】
【００３９】
１，９，１０，１５，２０  パネル
２，６，８，１４，２１  パネル本体
３，５  造形処理部
４  内パネル部
７  外パネル部
９ａ  印刷処理部
１１  ＵＶストライプ印刷処理部
１３，１３Ａ  印刷シート体
１７  光源
【図１】
2007047226.tif 000003
【図２】
2007047226.tif 000004
【図３】
2007047226.tif 000005
【図４】
2007047226.tif 000006
【図５】
2007047226.tif 000007
【図６】
2007047226.tif 000008
【図７】
2007047226.tif 000009
【図８】
2007047226.tif 000010
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
造形処理部または印刷処理部を有するパネル本体と、
光透過性材料から成り、側部から光が導かれないときの前記造形処理部または印刷処理部の視認性よりも、側部から光が導かれるときの前記造形処理部または印刷処理部の視認性を、前記光で前記造形処理部または印刷処理部を遮蔽することによって低下させるパネルとを有することを特徴とする電子機器のパネル構造。
【請求項２】
前記印刷処理部は、印刷シート体から成ることを特徴とする請求項１記載の電子機器のパネル構造。
【請求項３】
前記印刷処理部は、メジウム印刷が施されていることを特徴とする請求項１記載の電子機器のパネル構造。
【請求項４】
前記造形処理部は、凹凸に形成される部位を含むことを特徴とする請求項１記載の電子機器のパネル構造。
【請求項５】
前記光透過性材料は、アクリロニトリル・ブタジェン・スチレン共重合体、ポリカーボネイト、アクリル、およびガラスのいずれかから成ることを特徴とする請求項１記載の電子機器のパネル構造。
【請求項６】
造形処理部または印刷処理部を有するパネル本体と、
前記パネル本体の端部に設けられ、光を発する光源と、
光透過性材料から成り、前記パネル本体の前面に設けられ、側部から導かれる前記光源からの光が照明光となり、前記造形処理部または前記印刷処理部を遮蔽させるパネルとを有することを特徴とする電子機器のパネル構造。
【請求項７】
造形処理部または印刷処理部を有するパネル本体と、
前記パネル本体の端部に設けられ、光を発する光源と、
光透過性材料から成り、前記光源からの光が側部から導かれないときの前記造形処理部または印刷処理部の視認性よりも、前記光源からの光が側部から導かれるときの前記造形処理部または印刷処理部の視認性を、前記光で前記造形処理部または印刷処理部を遮蔽することによって低下させるパネルとを有することを特徴とする電子機器。
【請求項８】
前記パネル本体は、車載機器に適用されていることを特徴とする請求項７記載の電子機器。
【請求項９】
前記光源は、複数の発光ダイオードから構成され、
前記発光ダイオードは、一定間隔おきに配設されていることを特徴とする請求項７記載の電子機器。
【請求項１０】
前記光源と前記パネルとの間に設置され、前記光を前記パネルの側部に導く導光板を有することを特徴とする請求項７記載の電子機器。
【手続補正３】
【補正対象書類名】明細書
【補正対象項目名】０００１
【補正方法】変更
【補正の内容】
【０００１】
本発明は、電子機器およびそのパネル構造に関し、たとえば車載用ラジオの意匠部位などに適用される技術に関する。
【手続補正４】
【補正対象書類名】明細書
【補正対象項目名】０００６
【補正方法】変更
【補正の内容】
【０００６】
本発明の目的は、二面性の意匠イメージを持たせることができる電子機器およびそのパネル構造を提供することである。
【手続補正５】
【補正対象書類名】明細書
【補正対象項目名】０００７
【補正方法】変更
【補正の内容】
【０００７】
本発明は、造形処理部または印刷処理部を有するパネル本体と、
光透過性材料から成り、側部から光が導かれないときの前記造形処理部または印刷処理部の視認性よりも、側部から光が導かれるときの前記造形処理部または印刷処理部の視認性を、前記光で前記造形処理部または印刷処理部を遮蔽することによって低下させるパネルとを有することを特徴とする電子機器のパネル構造である。
【手続補正６】
【補正対象書類名】明細書
【補正対象項目名】０００８
【補正方法】変更
【補正の内容】
【０００８】
また本発明は、前記印刷処理部は、印刷シート体から成ることを特徴とする。
【手続補正７】
【補正対象書類名】明細書
【補正対象項目名】０００９
【補正方法】変更
【補正の内容】
【０００９】
また本発明は、前記印刷処理部は、メジウム印刷が施されていることを特徴とする。
【手続補正８】
【補正対象書類名】明細書
【補正対象項目名】００１０
【補正方法】変更
【補正の内容】
【００１０】
また本発明は、前記造形処理部は、凹凸に形成される部位を含むことを特徴とする。
【手続補正９】
【補正対象書類名】明細書
【補正対象項目名】００１１
【補正方法】変更
【補正の内容】
【００１１】
また本発明は、前記光透過性材料は、アクリロニトリル・ブタジェン・スチレン共重合体、ポリカーボネイト、アクリル、およびガラスのいずれかから成ることを特徴とする。
【手続補正１０】
【補正対象書類名】明細書
【補正対象項目名】００１２
【補正方法】変更
【補正の内容】
【００１２】
また本発明は、造形処理部または印刷処理部を有するパネル本体と、
前記パネル本体の端部に設けられ、光を発する光源と、
光透過性材料から成り、前記パネル本体の前面に設けられ、側部から導かれる前記光源からの光が照明光となり、前記造形処理部または前記印刷処理部を遮蔽させるパネルとを有することを特徴とする電子機器のパネル構造である。
【手続補正１１】
【補正対象書類名】明細書
【補正対象項目名】００１３
【補正方法】変更
【補正の内容】
【００１３】
また本発明は、造形処理部または印刷処理部を有するパネル本体と、
前記パネル本体の端部に設けられ、光を発する光源と、
光透過性材料から成り、前記光源からの光が側部から導かれないときの前記造形処理部または印刷処理部の視認性よりも、前記光源からの光が側部から導かれるときの前記造形処理部または印刷処理部の視認性を、前記光で前記造形処理部または印刷処理部を遮蔽することによって低下させるパネルとを有することを特徴とする電子機器である。
また本発明は、前記パネル本体は、車載機器に適用されていることを特徴とする。
また本発明は、前記光源は、複数の発光ダイオードから構成され、
前記発光ダイオードは、一定間隔おきに配設されていることを特徴とする。
また本発明は、前記光源と前記パネルとの間に設置され、前記光を前記パネルの側部に導く導光板を有することを特徴とする。
【手続補正１２】
【補正対象書類名】明細書
【補正対象項目名】００１５
【補正方法】変更
【補正の内容】
【００１５】
また本発明によれば、印刷シート体から成る印刷処理部を実現できる。必要に応じてデザインの異なる印刷シート体に容易に交換することができる。
また本発明によれば、メジウム印刷によって印刷処理部を実現できる。
また本発明によれば、凹凸に形成される部位によって造形処理部を実現できる。
また本発明によれば、アクリロニトリル・ブタジェン・スチレン共重合体、ポリカーボネイト、アクリル、およびガラスのいずれかから成る光透過性材料を実現できる。
【手続補正１３】
【補正対象書類名】明細書
【補正対象項目名】００１６
【補正方法】変更
【補正の内容】
【００１６】
また本発明によれば、前記パネル本体の前面に設けられ、光透過性材料から成るパネルによって、側部から導かれる前記光源からの光が照明光となり、前記造形処理部または前記印刷処理部を遮蔽させることができる。
【手続補正１４】
【補正対象書類名】明細書
【補正対象項目名】００１７
【補正方法】変更
【補正の内容】
【００１７】
また本発明によれば、光透過性材料から成るパネルによって、光源からの光が側部から導かれないときの前記造形処理部または印刷処理部の視認性よりも、前記光源からの光が側部から導かれるときの前記造形処理部または印刷処理部の視認性を、前記光で前記造形処理部または印刷処理部を遮蔽することによって低下させることができる。
【手続補正１５】
【補正対象書類名】明細書
【補正対象項目名】００１８
【補正方法】変更
【補正の内容】
【００１８】
また本発明によれば、パネル本体を、車載機器に適用することができる。
【手続補正１６】
【補正対象書類名】明細書
【補正対象項目名】００１９
【補正方法】変更
【補正の内容】
【００１９】
また本発明によれば、一定間隔おきに配設されている発光ダイオードによって、光源を実現できる。
【手続補正１７】
【補正対象書類名】明細書
【補正対象項目名】００２０
【補正方法】変更
【補正の内容】
【００２０】
また本発明によれば、光源とパネルとの間に設置される導光板によって、光をパネルの側部に導くことができる。